【手続補正書】
【提出日】平成20年8月18日(2008.8.18)
【手続補正１】
【補正対象書類名】特許請求の範囲
【補正対象項目名】全文
【補正方法】変更
【補正の内容】
【特許請求の範囲】
【請求項１】
改善されたユーザ・インターフェースに書式設定オプションのギャラリを提示する方法であって、
ユーザ・インターフェースに関連付けられた、ソフトウェア・アプリケーションによって実行されるタスクに関連付けられた、文字通りに識別される複数のタブに整理された書式設定コントロールのギャラリを提示することであって、書式設定コントロールの前記ギャラリに含まれる書式設定コントロールのそれぞれが、オブジェクトに適用される書式設定属性に関連付けられるように、提示すること、
前記書式設定コントロールのそれぞれに関連付けられた前記書式設定属性が前記オブジェクトに適用される場合に、前記オブジェクトがどのように書式設定されることになるかを例示する、前記書式設定コントロールのそれぞれに対する前記オブジェクトと同じタイプのオブジェクトの視覚的表現を前記ユーザ・インターフェース内に表示すること、
前記書式設定の所定の一つにフォーカスが当たっていることを示す指示を受け取ること、
前記書式設定コントロールのうちの所定の１つにフォーカスが当たっていることを示す指示を受け取ったことに対する応答として、前記フォーカスが当てられた書式設定コントロールに関連付けられた書式設定属性を前記選択されたオブジェクトに動的に適用し、前記フォーカスが当てられた書式設定コントロールに関連付けられた前記書式設定属性が前記選択されたオブジェクトに適用される場合に、前記選択されたオブジェクトがどのように書式設定されることになるかを示すこと、
前記書式設定コントロールのうちの１つを選択したことを示す指示を受け取ること、および
前記選択された書式設定コントロールに関連付けられた前記書式設定属性を前記オブジェクトに自動的に適用すること
を備えることを特徴とする方法。
【請求項２】
書式設定コントロールの前記ギャラリを提示することは、前記ユーザ・インターフェースの前記関連付けられたタブの下に表示されるドロップダウン・メニュー内に書式設定コントロールの前記ギャラリを提示することを含む
ことを特徴とする請求項１に記載の方法。
【請求項３】
さらに、書式設定コントロールの前記ギャラリを含む前記ドロップダウン・メニューを拡大して、前記選択されたオブジェクトに適用されるさらなる書式設定属性に関連付けられたさらなる書式設定コントロールを前記ドロップダウン・メニュー内に表示すること
を備えることを特徴とする請求項２に記載の方法。
【請求項４】
書式設定コントロールの前記ギャラリを提示することは、ソフトウェア・アプリケーション・ワークスペース内に表示されるダイアログ内に書式設定コントロールの前記ギャラリを提示することを含む
ことを特徴とする請求項１に記載の方法。
【請求項５】
さらに、前記ダイアログで所定の書式設定コントロールを選択したことに対する応答として表示されるドロップダウン・メニュー内に書式設定コントロールのさらなるギャラリを提示することを備える
ことを特徴とする請求項４に記載の方法。
【請求項６】
書式設定コントロールのギャラリを提示することは、前記ユーザ・インターフェース内に、書式設定コントロールの複数のギャラリのうちの１つを選択するための複数のギャラリ・コントロールを提示することを含み、
書式設定コントロールの前記複数のギャラリのそれぞれは、前記選択されたオブジェクトに適用される書式設定属性に関連付けられた書式設定コントロールを含む
ことを特徴とする請求項１に記載の方法。
【請求項７】
さらに、前記複数のギャラリ・コントロールのうちの１つの選択を受け取ること、および
前記選択されたギャラリ・コントロールに関連付けられた書式設定コントロールのギャラリに含まれる書式設定コントロールを表示すること
を備えることを特徴とする請求項６に記載の方法。
【請求項８】
さらに、前記選択されたギャラリ・コントロールに関連付けられた書式設定コントロールのギャラリに含まれる前記書式設定コントロールを書式設定コントロールのドロップダウン・メニュー内に表示すること
を備えることを特徴とする請求項７に記載の方法。
【請求項９】
前記書式設定コントロールのうちの前記所定の１つにフォーカスを当てることを中止したことを示す指示を受け取ると、
前記オブジェクトに対する前記フォーカスが当てられた書式設定コントロールに関連付けられた前記書式設定属性を前記オブジェクトに動的に適用することを無効とし、
前記フォーカスが当てられた書式設定コントロールに関連付けられた前記書式設定属性を動的に適用する前の、前記オブジェクトに適用される書式設定属性に従って前記選択されたオブジェクトが書式設定されるようにする
ことを特徴とする請求項１に記載の方法。
【請求項１０】
改善されたユーザ・インターフェース内に書式設定オプションのギャラリを提示する改善されたユーザ・インターフェースを提供するコンピュータに実装された方法であって、
前記ユーザ・インターフェースの上側の行内に配置されている複数のタブを表示することであって、前記タブのそれぞれは、選択されたオブジェクト上のユーザ・インターフェースに関連付けられたソフトウェア・アプリケーションによって実行されるタスクを識別し、前記複数のタブは、文字通りに識別され、選択に基づいて書式設定コントロールのギャラリを表示させるように機能し、書式設定コントロールの前記ギャラリに含まれる書式設定コントロールのそれぞれが、前記選択されたオブジェクトに適用される書式設定属性に関連付けられる、複数のタブを表示すること、および
前記書式設定コントロールのそれぞれに関連付けられた前記書式設定属性が前記選択されたオブジェクトに適用される場合に、前記選択されたオブジェクトがどのように書式設定されることになるかを例示する、前記書式設定コントロールに関連付けられた前記選択されたオブジェクトの視覚的表現を表示すること
を備えることを特徴とするコンピュータに実装された方法。
【請求項１１】
前記書式設定の所定の一つにフォーカスが当たっていることを示す指示を受け取ること、
前記書式設定コントロールのうちの所定の１つにフォーカスが当たっていることを示す指示を受け取ったことに対する応答として、前記フォーカスが当てられた書式設定コントロールに関連付けられた書式設定属性を前記選択されたオブジェクトに動的に適用し、前記フォーカスが当てられた書式設定コントロールに関連付けられた前記書式設定属性が前記選択されたオブジェクトに適用される場合に、前記選択されたオブジェクトがどのように書式設定されることになるかを示すこと、
前記書式設定コントロールのうちの１つを選択したことを示す指示を受け取ること、および
前記選択された書式設定コントロールに関連付けられた前記書式設定属性を前記オブジェクトに自動的に適用すること、
をさらに備えることを特徴とする請求項１０に記載のコンピュータに実装された方法。
【請求項１２】
書式設定コントロールの前記ギャラリは、前記ユーザ・インターフェースの下に表示されるドロップダウン・メニュー内に、配置されることを特徴とする請求項１０に記載のコンピュータに実装された方法。
【請求項１３】
書式設定コントロールの前記ギャラリは、前記選択されたオブジェクトに適用することができるさらなる書式設定属性に関連付けられたさらなる書式設定コントロールを含む拡大可能ドロップダウン・メニュー内に、配置されることを特徴とする請求項１０に記載のコンピュータに実装された方法。
【請求項１４】
書式設定コントロールの前記ギャラリは、ソフトウェア・アプリケーション・ワークスペース内に表示されるダイアログ内に、配置されることを特徴とする請求項１０に記載のコンピュータに実装された方法。
【請求項１５】
コンピュータにより実行された場合に改善されたユーザ・インターフェース内に書式設定オプションのギャラリを提示する方法を実行するコンピュータ実行可能命令を格納するコンピュータ可読媒体であって、前記コンピュータ実行可能命令は、
ソフトウェア・アプリケーションを介して書式設定対象のオブジェクトの選択を示す指示を受け取ること、
ユーザ・インターフェースに関連付けられた、ソフトウェア・アプリケーションによって実行されるタスクに関連付けられた、文字通りに識別される複数のタブに整理された書式設定コントロールのギャラリであって、書式設定コントロールの前記ギャラリに含まれる書式設定コントロールのそれぞれが、前記選択されたオブジェクトに適用される書式設定属性に関連付けられる、書式設定コントロールのギャラリを提示すること、
前記書式設定コントロールのそれぞれに関連付けられた前記書式設定属性が前記選択されたオブジェクトに適用される場合に、前記選択されたオブジェクトがどのように書式設定されることになるかを例示する、前記書式設定コントロールのそれぞれに対する前記選択されたオブジェクトと同じタイプのオブジェクトの視覚的表現を、前記ユーザ・インターフェース内に表示すること、
前記書式設定の所定の一つにフォーカスが当たっていることを示す指示を受け取ること、
前記書式設定コントロールのうちの所定の１つにフォーカスが当たっていることを示す指示を受け取ったことに対する応答として、前記フォーカスが当てられた書式設定コントロールに関連付けられた書式設定属性を前記選択されたオブジェクトに動的に適用し、前記フォーカスが当てられた書式設定コントロールに関連付けられた前記書式設定属性が前記選択されたオブジェクトに適用される場合に、前記選択されたオブジェクトがどのように書式設定されることになるかを示すこと、
前記書式設定コントロールのうちの１つを選択したことを示す指示を受け取ること、および
前記選択された書式設定コントロールに関連付けられた前記書式設定属性を、前記選択されたオブジェクトに自動的に適用すること
を備えることを特徴とするコンピュータ可読媒体。
【請求項１６】
書式設定コントロールの前記ギャラリを提示することは、前記ユーザ・インターフェースの関連付けられた前記タブの下に表示されるドロップダウン・メニュー内に書式設定コントロールの前記ギャラリを提示することを含む
ことを特徴とする請求項１５に記載のコンピュータ可読媒体。
【請求項１７】
さらに、書式設定コントロールの前記ギャラリを含む前記ドロップダウン・メニューを拡大して、前記選択されたオブジェクトに適用することができるさらなる書式設定属性に関連付けられたさらなる書式設定コントロールを前記ドロップダウン・メニュー内に表示すること
を備えることを特徴とする請求項１６に記載のコンピュータ可読媒体。
【請求項１８】
書式設定コントロールの前記ギャラリを提示することは、ソフトウェア・アプリケーション・ワークスペース内に表示されるダイアログ内に書式設定コントロールの前記ギャラリを提示することを含む
ことを特徴とする請求項１５に記載のコンピュータ可読媒体。
【請求項１９】
さらに、前記ダイアログで所定の書式設定コントロールを選択したことに対する応答として表示されるドロップダウン・メニュー内に書式設定コントロールのさらなるギャラリを提示すること
を備えることを特徴とする請求項１８に記載のコンピュータ可読媒体。
【請求項２０】
書式設定コントロールのギャラリを提示することは、前記ユーザ・インターフェース内に、書式設定コントロールの複数のギャラリのうちの１つを選択するための複数のギャラリ・コントロールを提示することを含み、
書式設定コントロールの前記複数のギャラリのそれぞれは、前記選択されたオブジェクトに適用される書式設定属性に関連付けられた書式設定コントロールを含む
ことを特徴とする請求項１５に記載のコンピュータ可読媒体。
【請求項２１】
さらに、前記複数のギャラリ・コントロールのうちの１つの選択を受け取ること、および
前記選択されたギャラリ・コントロールに関連付けられた書式設定コントロールのギャラリに含まれる書式設定コントロールを表示すること
を備えることを特徴とする請求項２０に記載のコンピュータ可読媒体。
【請求項２２】
さらに、前記選択されたギャラリ・コントロールに関連付けられた書式設定コントロールのギャラリに含まれる前記書式設定コントロールを、書式設定コントロールのドロップダウン・メニュー内に表示すること
を備えることを特徴とする請求項２１に記載のコンピュータ可読媒体。
【請求項２３】
前記書式設定コントロールのうちの前記所定の１つにフォーカスを当てることを中止したことを示す指示を受け取ると、
前記選択されたオブジェクトに対する前記フォーカスが当てられた書式設定コントロールに関連付けられた前記書式設定属性を前記選択されたオブジェクトに動的に適用することを無効とし、
前記フォーカスが当てられた書式設定コントロールに関連付けられた前記書式設定属性を動的に適用する前の、前記選択されたオブジェクトに適用される書式設定属性に従って前記選択されたオブジェクトが書式設定されるようにする
ことを特徴とする請求項１７に記載のコンピュータ可読媒体。
【請求項２４】
コンピュータにより実行された場合に改善されたユーザ・インターフェース内に書式設定オプションのギャラリを提示する方法を実行するコンピュータ実行可能命令を格納するコンピュータ可読媒体であって、前記コンピュータ実行可能命令は、
前記ユーザ・インターフェース内に文字通りに識別されるタブを提示することであって、前記タブの１つまたは複数が選択されたオブジェクト上で実行される書式設定タスクを識別する、タブを提示すること、
選択された書式設定タスクおよび関連するタブに関連付けられた書式設定コントロールのギャラリであって、書式設定コントロールの前記ギャラリに含まれる前記書式設定コントロールのそれぞれが選択されたオブジェクトに適用できる書式設定属性に関連付けられる、ギャラリを提示すること、および
前記書式設定コントロールのそれぞれに関連付けられた前記書式設定属性が前記選択されたオブジェクトに適用される場合に、前記選択されたオブジェクトがどのように書式設定されることになるかを例示する、前記選択されたオブジェクトの視覚的表現をそれぞれの書式設定コントロール上に表示すること
前記書式設定コントロールのうちの所定の１つにフォーカスが当たっていることを示す指示を受け取ったことに対する応答として、前記フォーカスが当てられた書式設定コントロールに関連付けられた書式設定属性を前記選択されたオブジェクトに動的に適用し、前記フォーカスが当てられた書式設定コントロールに関連付けられた前記書式設定属性が前記選択されたオブジェクトに適用される場合に、前記選択されたオブジェクトがどのように書式設定されることになるかを示すこと、
を備えることを特徴とするコンピュータ可読媒体。
【請求項２５】
さらに、
前記書式設定コントロールのうちの１つを選択したことを示す指示を受け取ること、および
前記選択された書式設定コントロールに関連付けられた前記書式設定属性を、前記選択されたオブジェクトに自動的に適用すること
を備えることを特徴とする請求項２４に記載のコンピュータ可読媒体。
【請求項２６】
書式設定コントロールのギャラリを提示することは、前記ユーザ・インターフェース内で書式設定コントロールの前記ギャラリを提示することを含む
ことを特徴とする請求項２４に記載のコンピュータ可読媒体。
【請求項２７】
書式設定コントロールの前記ギャラリを提示することは、前記ユーザ・インターフェースの下に表示されるドロップダウン・メニュー内に書式設定コントロールの前記ギャラリを提示することを含む
ことを特徴とする請求項２４に記載のコンピュータ可読媒体。
【請求項２８】
さらに、書式設定コントロールの前記ギャラリを含む前記ドロップダウン・メニューを拡大して、前記選択されたオブジェクトに適用することができるさらなる書式設定属性に関連付けられたさらなる書式設定コントロールを前記ドロップダウン・メニュー内に表示すること
を備えることを特徴とする請求項２７に記載のコンピュータ可読媒体。
【請求項２９】
書式設定コントロールの前記ギャラリを提示することは、ソフトウェア・アプリケーション・ワークスペース内に表示されるダイアログ内に書式設定コントロールの前記ギャラリを提示することを含む
ことを特徴とする請求項２４に記載のコンピュータ可読媒体。
【請求項３０】
書式設定コントロールのギャラリを提示することは、前記ユーザ・インターフェース内に、書式設定コントロールの複数のギャラリのうちの１つを選択するための複数のギャラリ・コントロールを提示することを含み、
書式設定コントロールの前記複数のギャラリのそれぞれは、前記選択されたオブジェクトに適用される書式設定属性に関連付けられた書式設定コントロールを含む
ことを特徴とする請求項２４に記載のコンピュータ可読媒体。
【請求項３１】
さらに、
前記複数のギャラリ・コントロールのうちの１つの選択を受け取ること、および
前記選択されたギャラリ・コントロールに関連付けられた書式設定コントロールのギャラリに含まれる書式設定コントロールを表示すること
を備えることを特徴とする請求項３０に記載のコンピュータ可読媒体。
【請求項３２】
さらに、前記選択されたギャラリ・コントロールに関連付けられた書式設定コントロールのギャラリに含まれる前記書式設定コントロールを、書式設定コントロールのドロップダウン・メニュー内に表示すること
を備えることを特徴とする請求項３１に記載のコンピュータ可読媒体。